(57)【要約】      （修正有）【課題】箱の蓋部分に保冷体の保持部を設けたものであるが、シンプルな構成を採用したことにより、保持部に保冷体を容易に保持することが出来、かつ箱内の保冷効果が高くする。【解決手段】蓋体２の相対向する外縁に、箱本体の相対向する側板に重ねて蓋体２を箱本体に係止する係止片３を折り目ａを介して設けた紙箱において、蓋体２の、係止片３を有しない、相対向する外縁から蓋体２の裏面に折り返した折り返し片６を設け、折り返し片６は折り返し状態を保持するように折り返し片の一部と蓋体２の裏面の一部を貼着し、折り返し片６と蓋体２の裏面との間に保冷体Ｂを挿入、挟持させる保冷体収納スペースを設けた。【選択図】図５
0003138549.tif 000002
【実用新案登録請求の範囲】
【請求項１】
上面に開口部を有する箱本体と、当該箱本体の開口部に被せる蓋体とから成り、前記蓋体の相対向する外縁に、前記箱本体の相対向する側板に重ねて蓋体を箱本体に係止する係止片を折り目を介して設けた紙箱において、
前記蓋体の、係止片を有しない、相対向する外縁から蓋体の裏面に折り返した折り返し片を設け、当該折り返し片は当該折り返し状態を保持するように当該折り返し片の一部と蓋体裏面の一部を貼着し、
当該折り返し片と蓋体裏面との間に保冷体を挿入、挟持させる保冷体収納スペースを設けたことを特徴とする、保冷体収納スペース付紙箱。
【請求項２】
前記各折り返し片の自由端を相互に重ねて貼着したことを特徴とする、請求項１に記載の保冷体収納スペース付紙箱。
【請求項３】
前記各折り返し片の両側縁に耳片を設け、前記蓋体の係止片を前記箱本体の相対向する側板に重ねる際、前記係止片とともに前記各耳片を折る構成としたことを特徴とする、請求項１に記載の保冷体収納スペース付紙箱。
【請求項４】
前記各折り返し片に透孔を設けたことを特徴とする、請求項１、２又は３のいずれかに記載の保冷体収納スペース付紙箱。
【請求項５】
前記蓋体の各係止片を、箱本体の相対向する側板の内側に重ねて箱本体に挿入し、前記蓋体を箱本体に係止することを特徴とする、請求項１、２、３又は４のいずれかに記載の保冷体収納スペース付紙箱。
【請求項６】
前記蓋体の各係止片は、外縁に折り目を介して係止舌片を設け、また、前記箱本体の相対向する側板の外面下部に前記係止舌片が挿入係止自在な細幅の係止切り込みを設け、前記蓋体の当該係止片を箱本体の相対向する側板の外側に重ね、各係止片の係止舌片を箱本体の係止切り込みに挿入して前記蓋体を箱本体に係止することを特徴とする、請求項１、２、３、又は４のいずれかに記載の保冷体収納スペース付紙箱。
【考案の詳細な説明】
【技術分野】
【０００１】
この考案は、洋菓子店等において、菓子やその他の食品等の持ち運びに使用される紙箱に関するものであって、特に、当該紙箱内部の温度の上昇を防ぐ保冷体を収納するスペースを設けた保冷体収納スペース付紙箱に関するものである。
【背景技術】
【０００２】
従来、洋菓子店において、ケーキ等の生菓子を販売する際、持ち運びに便利な紙箱を使用している。この様な紙箱においては気温が上がる夏場はもちろん、昨今では、冬であっても、多くの場所で暖房が行われているため、生ものであるケーキ等の生菓子が傷まないように、当該紙箱内に保冷体を収納するスペースを設け、当該スペースに保冷体を入れて、当該紙箱内の温度が上昇するのを防ぐようにしている。
【０００３】
前記保冷体の収納スペースは収納物に邪魔にならず、かつ保冷体が前記スペースから逸脱しないようにしなければならない。また、冷気は下方に行くため、紙箱の上部に設けたほうが効率が良い。
【０００４】
この様な中、紙箱の蓋体に保冷剤を保持する構成を有するものが有る。すなわち、当該紙蓋の下向き縁を形成する折り込み平板の先端縁を他方の折り込み片と天板との間に挿入して係止させ、当該折り込み平板と天板とで保冷剤収納部を形成するものである。
【特許文献１】特開２００７−１３７４９５号公報
【考案の開示】
【考案が解決しようとする課題】
【０００５】
しかしながら、前記紙蓋は、折り込み側板や折り込み片を多く設け、これらを折り込んで形成するものであり、構成が複雑で、製造の際に時間と費用がかかり、また、組立ての際にも手間がかかる。
【０００６】
この考案は、この様な状況に鑑みてなされたもので、箱の蓋部分に保冷体の保持部を設けたものであるが、シンプルな構成を採用したことにより、保持部に保冷体を容易に保持することが出来、かつ箱内の保冷効果の高い保冷体収納スペース付紙箱を提供して前記課題を解決するものである。
【課題を解決するための手段】
【０００７】
そこで、請求項１の考案は、上面に開口部を有する箱本体と、当該箱本体の開口部に被せる蓋体とから成り、前記蓋体の相対向する外縁に、前記箱本体の相対向する側板に重ねて蓋体を箱本体に係止する係止片を折り目を介して設けた紙箱において、前記蓋体の、係止片を有しない、相対向する外縁から蓋体の裏面に折り返した折り返し片を設け、当該折り返し片は当該折り返し状態を保持するように当該折り返し片の一部と蓋体裏面の一部を貼着し、当該折り返し片と蓋体裏面との間に保冷体を挿入、挟持させる保冷体収納スペースを設けた紙箱とした。
【０００８】
また、請求項２の考案は、請求項１の考案において、前記各折り返し片の自由端を相互に重ねて貼着した紙箱とした。
【０００９】
また、請求項３の考案は、請求項１の考案において、前記各折り返し片の両側縁に耳片を設け、前記係止片を前記箱本体の相対向する側板に重ねる際、前記係止片とともに前記各耳片を折る構成とした紙箱とした。
【００１０】
また、請求項４の考案は、請求項１、２又は３の考案において、前記各折り返し片に透孔を設けた紙箱とした。
【００１１】
また、請求項５の考案は、請求項１、２、３又は４のいずれかに記載の考案において、前記蓋体の各係止片を、箱本体の相対向する側板の内側に重ねて箱本体に挿入し、前記蓋体を箱本体に係止する紙箱とした。
【００１２】
また、請求項６の考案は、請求項１、２、３又は４のいずれかに記載の考案において、前記蓋体の各係止片は、外縁に折り目を介して係止舌片を設け、また、前記箱本体の相対向する側板の外面下部に前記係止舌片が挿入係止自在な細幅の係止切り込みを設け、前記蓋体の当該係止片を箱本体の相対向する側板の外側に重ね、各係止片の係止舌片を箱本体の係止切り込みに挿入して前記蓋体を箱本体に係止する紙箱とした。
【考案の効果】
【００１３】
請求項１〜６の考案によれば、蓋体の相対向する外縁から蓋体の裏面に重合する折り返し片を設け、当該折り返し片は当該折り返し状態を保持するように当該折り返し片の一部と蓋体裏面の一部を貼着しただけで、当該蓋体の裏面と折り返し片の間に保冷体収納スペースを設けることが出来、組み立てが極めて容易である。また、箱の蓋体の裏面に保冷体を収納することが出来るため、箱本体への収納物の収納に邪魔にならない。また、保冷体は蓋体裏面の相対向する折り返し片にその両端部を挿入し、中央部を露出することができるので、保冷体の冷気は直接収納物にかかり、極めて効率が良い。しかも、保冷体はむやみに保冷体収納スペースから外れない。
【００１４】
また、請求項２の考案は、相対向する折り返し片の自由端を貼着しているため、保冷体は保冷体収納スペースに強固に支持され、落下したりしない。
【００１５】
また、請求項３の考案は、対対向する各折り返し片の両側縁に耳片を設け、蓋体の前記係止片を前記箱本体の相対向する側板に重ねる際、前記係止片とともに前記各耳片を折る構成としたため、保冷体は保冷体収納スペースにより強固に支持される。
【００１６】
また、請求項４の考案は、各折り返し片に透孔を有するため、当該保冷体収納スペースに保冷体を収納した際、保冷体の露出度が増し、保冷効果が上がる。
【考案を実施するための最良の形態】
【００１７】
この考案は、上面に開口部を有する箱本体と、当該箱本体の開口部に被せる蓋体とから成り、前記蓋体の相対向する外縁に、前記箱本体の相対向する側板に重ねて蓋体を箱本体に係止する係止片を折り目を介して設けた紙箱において、前記蓋体の、係止片を有しない、相対向する外縁から蓋体の裏面に折り返した折り返し片を設け、当該折り返し片は当該折り返し状態を保持するように当該折り返し片の一部と蓋体裏面の一部を貼着し、当該折り返し片と蓋体裏面との間に保冷体を挿入、挟持させる保冷体収納スペースを設けたので、極めて効率の良い保冷効果を有する保冷体収納スペースを容易に組み立てられる。
【実施例１】
【００１８】
以下、この考案の実施例を図に基づいて説明する。
図１はこの考案の箱本体と蓋体の分解斜視図、図２はこの考案の箱本体に蓋体を被せた紙箱の斜視図である。
【００１９】
この考案の紙箱Ａは、上面に開口部を有する、直方体形状の箱本体１と、前記開口部に被せる蓋体２とから構成されている。前記蓋体２の相対向する外縁に係止片３、３を有し、これらの係止片３、３を前記箱本体１の相対向する側板４、４の各内側に重ねて挿入することにより、蓋体２を箱本体１に被せ、蓋体２を箱本体１に係止することができる。また、いったん被せた蓋体２を箱本体１から外し易いように箱本体１の前記側板４、４の中央部の上縁に切欠き５、５を設けている。
【００２０】
図３は前記蓋体２を裏返した展開斜視図、図４は折り返し片を折り返した蓋体２の裏面斜視図、図５は前記蓋体の保冷体収納スペースに保冷体を収納した蓋体の裏面斜視図である。
【００２１】
図３に示すように、前記蓋体２の一方の相対向する外縁から前記係止片３、３が折り目ａを介して設けられ、また、他方の相対向する外縁から折り目ｂを介して折り返し片６、６を設け、これらの各折り返し片６には透孔７が夫々設けられている。そして、図４に示すように、各折り返し片６を折り目ｂで折り返して、蓋体２の裏面に重ね、各折り返し片６の折り返し基部で蓋体２の裏面と貼着し、各折り返し片６の上記折り返し状態を保持させている。この貼着箇所は、前記折り返し基部に限らず、各折り返し片６の両側縁付近でも良い。
【００２２】
これらの蓋体２の裏面の相対向する折り返し片６と蓋体２の裏面で保冷体収納スペースを構成する。従って、図５に示すように、相対向する折り返し片６，６に保冷体Ｂの両端を挿入するようになっている。図６は保冷体Ｂを前記保冷体収納スペースに収納した状態での箱体の縦断面図である。この縦断面図に示すように、保冷体Ｂは紙箱の上部に位置し、収納物の収納に邪魔にならない位置にある。
また、保冷体Ｂの冷気は紙箱Ａの上から下に下りていくため、冷却効率が良い。
【００２３】
図７は前記保冷体収納スペースの他の例を示し、前記相対向する折り返し片６の各自由端を重合し、この重合箇所を貼着したものである。これらの折り返し片６、６と蓋体２の裏面との間に保冷体収納スペースを形成し、このスペースに保冷体Ｂを挿入するものである。この場合も、各折り返し片６の折り返し基部で蓋体２の裏面と貼着し、各折り返し片６の上記折り返し状態を保持させている。
【００２４】
また、図８は箱本体１の他の例を示すもので、箱本体１の４つの側板の内周に内周枠体８を設けたものである。この場合は前記蓋体２の係止片３、３を当該内周枠体８の両側外面と箱本体１の前記各側板４の内面との間に差し込み、蓋体２を箱本体１に係止するものであり、各係止片３が挟持されるため、蓋体２の箱本体１への係止がより強固となる。
【実施例２】
【００２５】
図９から図１４はこの考案の実施例２を示す。図９はこの考案の箱本体と蓋体の分解斜視図、図２はこの考案の箱本体に蓋体を被せた紙箱の斜視図である。
【００２６】
この考案の紙箱Ｄは、上面に開口部を有する、直方体形状の箱本体１１と、前記開口部に被せる蓋体１２とから構成されている。前記蓋体１２の相対向する外縁に折り目を介して係止片１３、１３を有し、これらの各係止片１３の下端に折り目を介し係止舌片１３ａを設けている。また、前記箱本体１１の側板４、４の下端には、前記蓋体１２の各係止舌片１３ａを挿入する係止切り込み１５、１５を設けている（但し、図では係止切込み１５は一つしか表示されていない）。そして、前記蓋体１２の係止片１３、１３を前記箱本体１１の相対向する側板１４、１４の各外側に重ねて蓋体１２を箱本体１１に被せ、前記各係止片１３の下端の係止舌片１３ａを箱本体１１の各係止切り込み１５に挿入することにより、蓋体１２を箱本体１１に係止することができる。
【００２７】
図１１は前記蓋体１２を裏返した展開斜視図、図１２は折り返し片を折り返した蓋体１２の裏面斜視図、図１３は前記蓋体１２の保冷体収納スペースに保冷体Ｂを収納した蓋体１２の裏面斜視図である。
【００２８】
図１１に示すように、前記蓋体１２の一方の相対向する外縁から前記係止片１３、１３が折り目ｃを介して設けられ、また、他方の相対向する外縁から折り目ｄを介して折り返し片１６、１６を設け、これらの各折り返し片１６には透孔１７が夫々設けられている。また、前記各折り返し片１６の両側縁には折り目ｅを介して耳片１８を夫々設けている。そして、図１２に示すように、各折り返し片１６を折り目ｄで折り返して、蓋体１２の裏面に重ね、各折り返し片１６の折り返し基部で蓋体１２の裏面と貼着し、各折り返し片１６の上記折り返し状態を保持させている。
【００２９】
これらの蓋体１２の裏面の相対向する折り返し片１６と蓋体１２の裏面で保冷体収納スペースを構成する。従って、図１３に示すように、相対向する折り返し片１６、１６に保冷体Ｂの両端を挿入するようになっている。そして、蓋体１２の前記係止片１３を前記箱本体１１の相対向する側板１４の外側に重ねる際、前記係止片１３とともに前記各耳片１８を折り目ｅで折る構成となっている。
【００３０】
図１４は保冷体Ｂを前記保冷体収納スペースに収納した状態での紙箱Ｄの縦断面図である。この縦断面図に示すように、各折り返し片１６の両側の耳片１８は、箱本体１１の側板１４の外側に折り畳まれ、その外側を蓋体１１の係止片１３で押さえられているため、各折り返し片１６の両側が完全に閉じられ、保冷体Ｂはより確実に折り返し片１６に把持され、むやみに外れることはない。
【００３１】
前記実施例では各折り返し片６又は１６に透孔７又は１７をもうけているが、これらの透孔７又は１７は設けない場合もある。また、複数個設ける場合もある。また、前記実施例では紙箱は平面四辺形であるが、平面多角形の紙箱にも使用できる。
【図面の簡単な説明】
【００３２】
【図１】この考案の実施例１の箱本体と蓋体の分解斜視図である。
【図２】この発明の実施例１の箱本体に蓋体を被せた紙箱の斜視図である。
【図３】この考案の実施例1の蓋体を裏返した展開斜視図である。
【図４】この考案の実施例１の蓋体の裏面の折り返し片を折り返した状態を示す斜視図である。
【図５】この考案の実施例１の蓋体の保冷体収納スペースに保冷体を収納した状態の蓋体の裏面斜視図である。
【図６】この考案の実施例１の紙箱の縦断面図である。
【図７】この考案の実施例１の紙箱の蓋体の他の例を示すもので、蓋体の折り返し片を折り返し、重合箇所を貼着した状態を示す斜視図である。
【図８】この考案の実施例１の紙箱の他の例を示す縦断面図である。
【図９】この考案の実施例２の箱本体と蓋体の分解斜視図である。
【図１０】この考案の実験例２の箱本体に蓋体を被せた紙箱の斜視図である。
【図１１】この考案の実施例２の蓋体を裏返した展開斜視図である。
【図１２】この考案の実施例２の蓋体の裏面の折り返し片を折り返した状態を示す斜視図である。
【図１３】この考案の実施例２の蓋体の保冷体収納スペースに保冷体を収納した状態の蓋体の裏面斜視図である。
【図１４】この考案の実施例２の紙箱の縦断面図である。
【符号の説明】
【００３３】
Ａ      紙箱                    Ｂ      保冷体
Ｄ      紙箱
１      箱本体                    ２      蓋体
３      係止片                    ４      側板
５      切り欠き                  ６      折り返し片
７      透孔                      ８      内周枠体
１１      箱本体                  １２      蓋体
１３      係止片                  １３ａ    係止舌片
１４      側板                    １５      係止切り込み
１６      折り返し片                １７      透孔
１８      耳片              
【図１】
0003138549.tif 000003
【図２】
0003138549.tif 000004
【図３】
0003138549.tif 000005
【図４】
0003138549.tif 000006
【図５】
0003138549.tif 000007
【図６】
0003138549.tif 000008
【図７】
0003138549.tif 000009
【図８】
0003138549.tif 000010
【図９】
0003138549.tif 000011
【図１０】
0003138549.tif 000012
【図１１】
0003138549.tif 000013
【図１２】
0003138549.tif 000014
【図１３】
0003138549.tif 000015
【図１４】
0003138549.tif 000016